(57)【要約】【課題】リアルタイム性の高いチャットが特徴とする、状態や時間経過を反映した記録を行うことのできるチャット記録装置の提供。【解決手段】チャット装置１０２からのチャットデータを基にチャット画面を生成するチャット画面生成部１０４と、チャット装置１０２からの状態データを基にチャット装置１０２の使用者に関する状態を示す状態画面を生成する状態画面生成部１０５と、チャット画面および状態画面を合成するマンガ合成部１０８とを備え、チャット画面のみならず、状態画面をも生成し、それらを合成するため、チャットの内容は勿論のこと、状態をも容易に正確に知ること可能になる。【選択図】図１
2007025936.tif 000002
【特許請求の範囲】
【請求項１】
チャット装置からのチャットデータを基にチャット画面を生成するチャット画面生成部と、前記チャット装置からの状態データを基に前記チャット装置の使用者に関する状態を示す状態画面を生成する状態画面生成部と、前記チャット画面および前記状態画面を合成する画面合成部とを備えたことを特徴とするチャット記録装置。
【請求項２】
前記画面合成部は、前記チャット画面および前記状態画面を合成してマンガの形式に変換することを特徴とする請求項１記載のチャット記録装置。
【請求項３】
前記状態画面生成部は、前記チャット装置からの前記状態データに変化があった際に、前記変化があった際の前記チャット装置の現在地を示す状態画面を生成することを特徴とする請求項１記載のチャット記録装置。
【請求項４】
チャット中に電話がかかってきた場合、前記状態画面生成部が、電話がかかってきたことを示す画面を生成することを特徴とする請求項１記載のチャット記録装置。
【請求項５】
チャット中に前記チャット装置が圏外に入った場合、前記状態画面生成部が、圏外に入ったことを示す画面を生成することを特徴とする請求項１記載のチャット記録装置。
【請求項６】
チャット装置からのチャットデータを基にチャット画面を生成するチャット画面生成部と、前記チャット装置のチャット時間経過に応じた時間経過画面を生成する時間経過画面生成部と、前記チャット画面および前記時間経過画面を合成する画面合成部とを備えたことを特徴とするチャット記録装置。
【請求項７】
前記画面合成部は、前記チャット画面および前記時間経過画面を合成してマンガの形式に変換することを特徴とする請求項６記載のチャット記録装置。
【請求項８】
前記時間経過画面生成部は、前記チャット装置を用いたチャットの経過時間を表す画面を生成することを特徴とする請求項６記載のチャット記録装置。
【請求項９】
前記時間経過画面生成部は、前記チャット装置を用いたチャットの経過時間に応じて前記チャットのあらすじを示す画面を生成することを特徴とする請求項６記載のチャット記録装置。
【発明の詳細な説明】
【技術分野】
【０００１】
本発明は、文字や映像などのデータのやり取りで会話を行うチャット装置の情報を記憶するチャット記録装置に関するものである。
【背景技術】
【０００２】
従来、電子メールを用いて送受信される情報を基にコミックを自動的に生成し、生成したコミックを要求した電子メールのユーザに自動的に送信できるようにしたものが知られている（例えば、特許文献１参照）。
【０００３】
図７は、このような従来のコミック自動生成装置の概略構成を示すブロック図である。
【０００４】
従来のコミック自動生成装置７０１では、図７に示すように、ユーザ７０６〜７０８が送信した電子メールをそれぞれ受信し取得するサーバ７０２と、サーバ７０２によって取得した電子メールからその電子メールのヘッダや本文のテキストデータ、添付ファイルの内容などを解析し、その中に登場する登場人物、会話内容などを解析するメール解析部７０３と、解析結果から登場人物に対応するキャラクタ画像などをデータベース７０４より取得し、会話内容などからコミックを生成するコミック生成部７０５とを備えている。
【０００５】
したがって、サーバ７０２において、ユーザ７０６〜７０８からの電子メールを受信し取得すると、取得した電子メールの内容からその中に登場する人物、会話などをメール解析部７０３において解析し、その解析結果に基づいて対応するキャラクタなどをデータベース７０４より取得し、コミック生成部７０５でコミックを生成する。そして、それらを要求したユーザ７０６〜７０８にそれぞれサーバ７０２を通して送信することができ、それぞれのユーザ７０６〜７０８において、前記コミックを楽しむことができる。
【特許文献１】特開２００２−２１５５３３号公報
【発明の開示】
【発明が解決しようとする課題】
【０００６】
しかしながら、従来のコミック自動生成装置では、文章が完結している電子メールを対象としているため、チャットのように、時々刻々状況が変化するリアルタイムな会話に対しては、忠実にそれを記録することができないという問題を有していた。
【０００７】
本発明は、このような従来の問題に対処して成されたものであり、時々刻々状況が変化するチャットにおいても、それを忠実に記憶することが可能なチャット記憶装置を提供することを目的とするものである。
【課題を解決するための手段】
【０００８】
本発明のチャット記憶装置は、チャット装置からのチャットデータを基にチャット画面を生成するチャット画面生成部と、チャット装置からの状態データを基にチャット装置の使用者に関する状態を示す状態画面を生成する状態画面生成部と、チャット画面および状態画面を合成する画面合成部とを備えた構成を有する。
【０００９】
この構成により、チャット画面のみならず、状態画面をも生成し、それらを合成するため、チャットの内容は勿論のこと、状態をも容易に正確に知ること可能になる。
【００１０】
また、本発明のチャット記憶装置は、画面合成部は、チャット画面および状態画面を合成してマンガの形式に変換する構成を有する。
【００１１】
この構成により、チャットの内容や状態を、マンガ形式で容易に正確に知ること可能になる。
【００１２】
また、本発明のチャット記憶装置は、状態画面生成部は、チャット装置からの状態データに変化があった際に、変化があった際のチャット装置の現在地を示す状態画面を生成する構成を有する。
【００１３】
この構成により、チャット装置に状態変化があったとき、そのときの現在地を画面として生成し、知ることができる。
【００１４】
また、本発明のチャット記憶装置は、チャット中に電話がかかってきた場合、状態画面生成部が、電話がかかってきたことを示す画面を生成する構成を有する。
【００１５】
この構成により、チャット中に電話がかかってきたとき、その旨を示す画面を生成することができ、それを容易に知ることができる。
【００１６】
また、本発明のチャット記憶装置は、チャット中にチャット装置が圏外に入った場合、状態画面生成部が、圏外に入ったことを示す画面を生成する構成を有する。
【００１７】
この構成により、チャット中にチャット装置が圏外に入った場合、圏外になったことを示す画面を生成することができ、それを容易に知ることができる。
【００１８】
また、本発明のチャット記憶装置は、チャット装置からのチャットデータを基にチャット画面を生成するチャット画面生成部と、チャット装置のチャット時間経過に応じた時間経過画面を生成する時間経過画面生成部と、チャット画面および時間経過画面を合成する画面合成部とを備えた構成を有する。
【００１９】
この構成により、チャット画面のみならず、時間経過に対応した画面をも生成することが可能になり、これらの画面でもって時間経過と共にどのようにチャットを行ったかを容易に知ることができる。
【００２０】
また、本発明のチャット記憶装置は、画面合成部は、チャット画面および時間経過画面を合成してマンガの形式に変換する構成を有する。
【００２１】
この構成により、マンガ形式の画面によって、時間経過と共にどのようにチャットを行ったかを容易に知ることができる。
【００２２】
また、本発明のチャット記憶装置は、時間経過画面生成部は、チャット装置を用いたチャットの経過時間を表す画面を生成する構成を有する。
【００２３】
この構成により、チャットの経過時間を示す画面をチャット画面と共に記憶することができ、チャットの様子をより経過時間と共に正確に知ることができる。
【００２４】
また、本発明のチャット記憶装置は、時間経過画面生成部は、チャット装置を用いたチャットの経過時間に応じて前記チャットのあらすじを示す画面を生成する構成を有する。
【００２５】
この構成により、チャットの経過時間に応じてそれまでのあらすじを示す画面を生成することができ、経過時間が大きい場合でも、素早くあらすじを知ることが可能になる。  
【発明の効果】
【００２６】
本発明のチャット記憶装置は、チャット装置からのチャットデータを基にチャット画面を生成するチャット画面生成部と、チャット装置からの状態データを基にチャット装置の使用者に関する状態を示す状態画面を生成する状態画面生成部と、チャット画面および状態画面を合成する画面合成部とを備えた構成を有するので、チャット画面のみならず、状態画面をも生成し、それらを合成するため、チャットの内容は勿論のこと、状態をも容易に正確に知ることが可能になる。
【発明を実施するための最良の形態】
【００２７】
以下、本発明の実施の形態について、図面を用いて説明する。
【００２８】
なお、本発明は、これらの実施の形態に何ら限定されるものではなく、その要旨を逸脱しない範囲において、様々な態様で実施し得るものである。
【００２９】
（実施の形態１）
図１は、本発明の実施の形態１におけるチャット記録装置の概略構成を示すブロック図である。
【００３０】
図１において、チャット記録装置１０１は、携帯電話機やパソコンなどのチャット装置１０２と接続され、ネットワーク１０７を介して外部のサーバ１０３とも接続されている。
【００３１】
チャット記録装置１０１は、チャット画面を作成するチャット画面生成部１０４と、状態を表す画面を作成する状態画面生成部１０５と、状態画面生成部１０５が利用するデータを供給するデータベース１０６と、チャット画面と状態画面とを互いに合成し、マンガを生成する画面合成部としてのマンガ合成部１０８と、生成したマンガを保存する記録部１０９とを備えている。
【００３２】
次に、本実施の形態におけるチャット記録装置の動作について説明する。
【００３３】
図２は、本実施の形態におけるチャット記録装置の動作を示すフローチャート、図３は、本実施の形態におけるチャット記録装置において生成され記憶されたマンガの一例を示す図である。
【００３４】
チャット装置１０２で送受信したテキストや映像などのチャットデータがチャット装置１０２から送信されてくると、そのチャットデータは、チャット画面生成部１０４に入力される。したがって、ここで、図３に示す画面３０２、３０３、３０５のようなマンガのコマを生成する。
【００３５】
チャット中に、プレゼンスが変化した、現在地が変化した、電話がかかってきた、圏外に入ったなどの状態変化があった場合には、チャット装置１０２からこれらの状態変化に応じた状態データ（プレゼンス、現在地、電話がかかってきた、圏外などのデータ）が送信されてくるので、これらの状態データを基に状態画面生成部１０５がこれらの状態データに合ったマンガのコマ、例えば、図３の画面３０４、を生成する。
【００３６】
すなわち、本実施の形態では、図２に示すように、チャット中、常時、チャット装置１０２からの状態データを基に、状態変化があったかどうかをチェックしている（Ｓ２０１）。
【００３７】
ステップＳ２０１において状態変化がない場合には（Ｓ２０１のＮｏ）、チャット装置１０２からのチャットデータを基に、チャット画面生成部１０４において、それぞれチャットデータに応じたチャット画面（例えば、図３に示す画面３０２、３０３、３０５のようなマンガのコマ）を生成する（Ｓ２０２）。
【００３８】
そして、状態変化があった場合には（Ｓ２０１のＹｅｓ）、状態画面生成部１０５において、まずデータベース１０６を検索し、受け取った状態データに対応する画面データがあるかどうかを判断する（Ｓ２０３）。
【００３９】
ここで、対応する画面データがデータベース１０６にあった場合には（Ｓ２０３のＹｅｓ）、データベース１０６より直接その画面データを取り出し、そのときの状態を表す画面（例えば、図３に示す画面３０４のような状態を表すマンガのコマ）を生成する（Ｓ２０４）。
【００４０】
対応する画面データがデータベース１０６になかった場合には（Ｓ２０３のＮｏ）、ネットワーク１０７を介してサーバ１０３に接続し、受け取った状態データに対応する画面データをサーバ１０３から取得し（Ｓ２０５）、そのときの状態を表す画面（マンガのコマ）を生成する（Ｓ２０４）。
【００４１】
このようにして、チャット画面（例えば、図３の画面３０２、３０３、３０５）や状態を表す画面（例えば、図３の画面３０４）が生成されると、これらの画面は、それぞれマンガ合成部１０８において、時間順に並び替えられ、１つのマンガファイル（例えば、図３の画面３０１）に合成され（Ｓ２０６）、記録部１０９に記憶、保存される。
【００４２】
そして、これらの処理は、チャットを終了するまで、すなわち、チャットが終了したかどうかを判断するステップ（Ｓ２０７）において、終了したと判断される（Ｓ２０７のＹｅｓ）まで繰り返し実行される（Ｓ２０７のＮｏ）。
【００４３】
したがって、本実施の形態によれば、チャット時の状況を容易に把握することのできるチャット記録を実行することが可能になる。
【００４４】
なお、本実施の形態では、チャット画面生成部１０４および状態画面生成部１０５で生成された画面を、マンガ合成部１０８でマンガ形式に変換して合成したが、本発明は、マンガ形式に変換しなくても、写実的な画面やその他の画面の合成を行っても良い。
【００４５】
（実施の形態２）
図４は、本発明の実施の形態２におけるチャット記録装置の概略構成を示すブロック図である。
【００４６】
図４において、チャット記録装置４０１は、チャット装置４０２と接続されている。
【００４７】
チャット記録装置４０１は、チャット画面を作成するチャット画面生成部４０３と、時間経過を表す画面を作成する時間経過画面生成部４０４と、時間経過画面生成部４０４が利用するデータを供給するデータベース４０５と、チャット画面と時間経過画面とを合成し、マンガを生成する画面合成部としてのマンガ合成部４０６と、生成したマンガを記憶、保存する記録部４０７とを備えている。
【００４８】
次に、本実施の形態におけるチャット記録装置の動作について説明する。
【００４９】
図５は、本実施の形態におけるチャット記録装置の動作を示すフローチャート、図６は、本実施の形態におけるチャット記録装置において生成され記憶されたマンガの一例を示す図である。
【００５０】
チャット装置４０２からチャットデータ（テキストや映像など）が送信されてくると、送信されたチャットデータは、チャット画面生成部４０３に加えられ、ここで、チャット画面として、例えば、図６に示す画面６０２、６０３、６０５、６０６のようなマンガのコマが生成される。
【００５１】
ところで、チャットによるコミュニケーションは、リアルタイム性の高いものであるため、会話を途中で一時中断し、ある程度時間が経過してからまた再開するということがよく行われる。
【００５２】
本実施の形態では、このような場合に対応してチャットが一時中断した場合でも、その状態を含め、全体としてチャットがどのように成されたかを正確にわかるように工夫している。
【００５３】
すなわち、本実施の形態では、チャットが一時中断し、その後、再開された場合、チャット装置４０２から送信される時刻情報を基に、時間経過画面生成部４０４において、データベース４０５より時間経過を表すのに適した画面データを取得し、例えば、図６に示す画面６０４のような時間経過を表すマンガのコマを生成する。
【００５４】
本実施の形態では、図５に示すように、チャット装置４０２から送信される時刻情報を基に所定の単位時間が経過したかどうかをまず判断する（Ｓ５０１）。所定の単位時間が経過していない場合には（Ｓ５０１のＮｏ）、チャット画面生成部４０３において、チャット装置４０２からのチャットデータに基づき、それぞれチャット画面（例えば、図６に示す画面６０２、６０３のようなマンガのコマ）を生成する（Ｓ５０２）。
【００５５】
そして、所定の単位時間が経過した場合には（Ｓ５０１のＹｅｓ）、チャット装置４０２からの時刻情報を基に、時間経過画面生成部４０４において、データベース４０５より時間経過を表すのに適した図形データを取得し、そのときの状態を表す画面（例えば、図６に示す画面６０４のような時間経過を表すマンガのコマ）を生成する（Ｓ５０３）。
【００５６】
このようにして、マンガのコマ（図６に示す画面６０２〜６０６）を生成すると、これらのコマは、マンガ合成部４０６において時間順に並び替えられ、１つのマンガファイル（図６の６０１）として合成され（Ｓ５０４）、記録部４０７に保存される。
【００５７】
そして、これらの処理を、チャットを終了するまで、すなわち、チャットを終了したかどうかを判断するステップ（Ｓ５０５）において、チャットを終了したと判断する（Ｓ５０５のＹｅｓ）までの間、繰り返し実行する（Ｓ５０５のＮｏ）。
【００５８】
以上のように、本実施の形態によれば、チャットの内容を時間経過と共に正確に把握可能なチャット記録を行うことが可能になる。
【００５９】
なお、本実施の形態では、時間経過を示す画面を得るために、チャット装置４０２からの時刻情報を用いているが、チャット記憶装置４０１において、チャット装置４０２から送信されるチャットデータを基に、例えば、チャット開始時点からの経過時間、或いは、チャットが中断してからの経過時間などを自ら計測し、それに基づいて時刻情報を生成し、時間経過を示す画面を得るようにしても良い。
【００６０】
また、本実施の形態では、チャットを中断してから所定の単位時間が経過したかどうかを判断し、所定の単位時間が経過したときに、その経過時間を示す画面を生成するようにしているが、チャットが中断した場合、再開されるまでの実時間を計測し、その時間を示す画面を生成するようにしても良い。
【００６１】
また、時間を計測する場合、チャットが中断されたか否かに関わらず、チャットが開始された時点からの累積経過時間を計測し、チャットが再開された場合に、チャットが再開されるまでの時間を表す画面を生成するようにしても良い。
【００６２】
また、本実施の形態では、チャット画面に時間経過を示す画面を合成し、記憶しているだけであるが、時間経過を示す画面を生成する際にそれまでのあらすじを示す画面を更に生成し、それを時間経過を示す画面と共に合成し記憶するようにしても良い。このようにすれば、それまでのあらすじを容易に知ることができ便利である。
【００６３】
また、本実施の形態では、時間経過を示す画面を生成し、それをチャット画面と共に合成し記憶するようにしているだけであるが、更に、実施の形態1と同様、状態データを基に状態画面を生成し、これらも一緒に合成し記憶するようにしても良い。要するに、実施の形態1と2を互いに組み合わせて1つのチャット記憶装置として構成してもよい。このようにすれば、時刻情報と共に、状態変化があったとき、その状態変化に応じた画面をも記憶することができ、チャットの状態をより詳細に知ることができより便利である。
【００６４】
なお、本実施の形態では、チャット画面生成部４０３および時間経過画面生成部４０４で生成された画面を、マンガ合成部４０６でマンガ形式に変換して合成したが、実施の形態１と同じように、本発明は、マンガ形式に変換しなくても、写実的な画面やその他の画面の合成を行っても良い。
【産業上の利用可能性】
【００６５】
本発明のチャット記憶装置は、チャット画面のみならず、状態画面なども一緒にマンガ形式に変換し合成するため、チャットの内容は勿論のこと、状態変化があった場合にその状態も容易に正確に知ること可能であり、チャットを記憶するチャット記録装置として有用である。
【図面の簡単な説明】
【００６６】
【図１】本発明の実施の形態１におけるチャット記録装置の概略構成を示すブロック図
【図２】本発明の実施の形態１におけるチャット記録装置の動作を示すフローチャート
【図３】本発明の実施の形態１におけるチャット記録装置において生成、記憶された画面の例を示す図
【図４】本発明の実施の形態２におけるチャット記録装置の概略構成を示すブロック図
【図５】本発明の実施の形態２におけるチャット記録装置の動作を示すフローチャート
【図６】本発明の実施の形態２におけるチャット記録装置において生成、記憶された画面の例を示す図
【図７】従来のコミック自動生成装置の概略構成を示すブロック図
【符号の説明】
【００６７】
１０１，４０１    チャット記録装置
１０２，４０２    チャット装置
１０３    サーバ
１０４，４０３    チャット画面生成部
１０５    状態画面生成部
１０６，４０５    データベース
１０７    ネットワーク
１０８，４０６    マンガ合成部
１０９，４０７    記録部
【図１】
2007025936.tif 000003
【図２】
2007025936.tif 000004
【図３】
2007025936.tif 000005
【図４】
2007025936.tif 000006
【図５】
2007025936.tif 000007
【図６】
2007025936.tif 000008
【図７】
2007025936.tif 000009